(57)【要約】【課題】  圧縮空気用電磁式ドレントラップにおける機能性の向上を実現する安全装置の提供を図る。【解決手段】  空気圧縮機が吐出する圧縮空気より発生するドレンを除去するための圧縮空気用電磁式ドレントラップの安全装置であって、ＡＣ電磁弁の電源線を監視する電流検知手段と、電流検知手段の信号を所定の基準と比較した上で増幅でき得る比較増幅手段と、ＡＣ電磁弁の排出指令信号の開始よりラッシュカレントが流れる所定時間以上を遅延させた信号を送出する一以上の時間遅延手段と、比較増幅手段の信号と時間遅延手段の信号とを論理積もしくは否定論理積する判断手段と、判断手段の真の信号を保持する異常電流保持手段と、を備えた構成を採用する。【選択図】図1
2015086791.tif 000002
【特許請求の範囲】
【請求項１】
空気圧縮機が吐出する圧縮空気より発生するドレンを除去するための圧縮空気用電磁式ドレントラップの安全装置であって、
ＡＣ電磁弁の電源線を監視する電流検知手段と、
前記電流検知手段の信号を所定の基準と比較した上で増幅でき得る比較増幅手段と、
ＡＣ電磁弁の排出指令信号の開始よりラッシュカレントが流れる所定時間以上を遅延させた信号を送出する一以上の時間遅延手段と、
前記比較増幅手段の信号と前記時間遅延手段の信号とを論理積もしくは否定論理積する判断手段と、
前記判断手段の真の信号を保持する異常電流保持手段と、
を備えたことを特徴とする圧縮空気用電磁式ドレントラップの安全装置。
【請求項２】
前記異常電流保持手段が異常電流である信号を保持した場合に、ＡＣ電磁弁の電源をＯＦＦする電源切断手段を備えたことを特徴とする請求項１に記載の圧縮空気用電磁式ドレントラップの安全装置。
【請求項３】
前記異常電流保持手段が異常電流である信号を保持した場合に、警報を発報する警報発報手段を備えたことを特徴とする請求項１または請求項２に記載の圧縮空気用電磁式ドレントラップの安全装置。
【請求項４】
前記電流検知手段が、カレントトランスもしくはホール素子であることを特徴とする請求項１から請求項３のいずれかに記載の圧縮空気用電磁式ドレントラップの安全装置。
【発明の詳細な説明】
【技術分野】
【０００１】
本発明は、ドレンを除去するための装置に関し、より詳しくは、空気圧縮機が吐出する圧縮空気より発生するドレンを除去するための装置に関する。
【背景技術】
【０００２】
空気圧縮機が吐出する圧縮空気からは、ドレンが発生する。前記ドレンは、圧縮空気圧回路中において、主に圧縮空気の温度が下がることにより発生する。前記ドレンが発生すると、圧縮空気の利用に際して邪魔なだけでなく、装置の故障を招きかねないという問題があった。そこで従来より、圧縮空気圧回路の所定中間箇所において、何らかの排出指令信号に基づき電磁的に弁を開閉させることで、前記ドレンを除去する電磁式ドレントラップを使用することが一般的となっている。
【０００３】
しかしながら、前記電磁式ドレントラップによれば、ＡＣ電磁弁を使用した場合に、プランジャーやそれに類するものがドレン中に含まれるスラッジや油塊等を噛んでしまって動作不良を起こすことがあり、それにより過電流が発生してＡＣ電磁弁のコイルを焼きつかせてしまうという問題があった。かかる問題は、より多くのスラッジや油塊を発生させやすい大型の空気圧縮機の後段に接続される大型のドレントラップで、特に多く起こっていた。
【０００４】
そのようなＡＣ電磁弁のコイルの焼き付きを防止すべく、ヒューズやポリスイッチなどの電源切断手段をＡＣ電磁弁の電源と直列に取付ける対応が為されていたが、ＡＣコイルにはラッシュカレントが流れるために、それを考慮すると必要以上に容量の大きいものを選定せざるを得ず、中途半端な動作不良で定格以上の電流が流れても、ヒューズやポリスイッチが切れずにＡＣ電磁弁のコイルを過熱させ、その結果、装置寿命を短くしたり、また、中途半端な開弁で余分な圧縮空気を消費するものであった。
【先行技術文献】
【特許文献】
【０００５】
【特許文献１】特開２００８−２５６１７１号公報
【発明の概要】
【発明が解決しようとする課題】
【０００６】
本発明は上記のような従来の問題点に鑑み、圧縮空気用電磁式ドレントラップの機能性向上を実現することを課題とする。
【課題を解決するための手段】
【０００７】
上記課題を解決するため、本発明は、空気圧縮機が吐出する圧縮空気より発生するドレンを除去するための圧縮空気用電磁式ドレントラップの安全装置であって、ＡＣ電磁弁の電源線を監視する電流検知手段と、該電流検知手段の信号を所定の基準と比較した上で増幅でき得る比較増幅手段と、少なくともＡＣ電磁弁の排出指令信号の開始よりラッシュカレントが流れる所定時間以上を遅延させた信号を送出する一以上の時間遅延手段と、比較増幅手段の信号と時間遅延手段の信号とを論理積もしくは否定論理積する判断手段と、該判断手段の真の信号を保持する異常電流保持手段と、を備えた構成を採用する。
【０００８】
さらに、本発明は、前記異常電流保持手段が異常電流である信号を保持した場合に、ＡＣ電磁弁の電源をＯＦＦする電源切断手段を備えた構成を採用し得る。
【０００９】
また、本発明は、前記異常電流保持手段が異常電流である信号を保持した場合に、警報を発報する警報発報手段を備えた構成を採用し得る。
【００１０】
さらにまた、本発明は、前記電流検知手段が、カレントトランスもしくはホール素子である構成を採用し得る。
【発明の効果】
【００１１】
本発明にかかる圧縮空気用電磁式ドレントラップの安全装置によれば、少なくともラッシュカレントが流れ終わった時点で過電流の存否を判断し、その過電流を異常電流として検知することで、該過電流がラッシュカレントではなくＡＣ電磁弁の動作不良による異常電流であることを簡便且つ容易な構成で判別可能である、といった優れた効果を奏する。
【００１２】
さらに、本発明にかかる圧縮空気用電磁式ドレントラップの安全装置によれば、異常電流を検知した場合にＡＣ電磁弁の電源をＯＦＦにすることで、それ以上の異常電流の発生を抑制し、これによりＡＣ電磁弁の焼き付きを防ぐと共に装置寿命の長期化が図られ、さらには、中途半端な開弁による余分な圧縮空気の消費を防ぐことが可能になる、といった優れた効果を奏するものである。
【００１３】
また、本発明にかかる圧縮空気用電磁式ドレントラップの安全装置によれば、警報発報手段を備えることで、異常電流を検知したことを人や接続される機器に容易に知らしめることができる、といった優れた効果を奏するものである。
【００１４】
またさらに、本発明にかかる圧縮空気用電磁式ドレントラップの安全装置によれば、電流検知手段をＡＣ電磁弁の電源線とカレントトランスもしくはホール素子との磁気的な結合でのみ結合させることによって、ＡＣ電磁弁の電源と制御部の電源とを絶縁でき、これにより回路構成が単純・低コストで実現可能である、といった優れた効果を奏するものである。
【図面の簡単な説明】
【００１５】
【図１】本発明にかかる圧縮空気用電磁式ドレントラップの安全装置の実施形態を示す簡略的な回路図である。
【図２】本発明にかかる圧縮空気用電磁式ドレントラップの安全装置の動作態様を示すタイムチャートである。
【発明を実施するための形態】
【００１６】
本発明にかかる圧縮空気用電磁式ドレントラップの安全装置は、ＡＣ電磁弁の電源線１ｂを監視する電流検知手段１と、該電流検知手段１が発する信号を所定の基準と比較した上で増幅でき得る比較増幅手段２と、ＡＣ電磁弁の排出指令信号の開始よりラッシュカレントが流れる所定時間を遅延させた信号を送出する一以上の時間遅延手段３と、比較増幅手段２の信号と時間遅延手段３の信号とを論理積もしくは否定論理積する判断手段４と、該判断手段４の信号を保持する異常電流保持手段５と、を備えたことを最大の特徴とする。以下、本発明にかかる圧縮空気用電磁式ドレントラップの安全装置の実施形態を、図面に基づいて説明する。
【００１７】
なお、本発明にかかる圧縮空気用電磁式ドレントラップの安全装置は、以下に述べる実施形態に特に限定されるものではなく、本発明の技術的思想の範囲内、すなわち同一の作用効果を発揮できる素子、材質、形状、寸法等の範囲内で適宜変更することができる。
【００１８】
図１は、本発明にかかる圧縮空気用電磁式ドレントラップの安全装置の実施形態を示す簡略的な回路図である。
本発明にかかる圧縮空気用電磁式ドレントラップの安全装置は、空気圧縮機が吐出する圧縮空気より発生するドレンを除去するための装置であって、主な構成として、電流検知手段１と、比較増幅手段２と、時間遅延手段３と、判断手段４と、異常電流保持手段５と、から構成される。
【００１９】
ところで、電磁式ドレントラップは、ＡＣ電源により動作し、ドレンの排出のために排出口を開弁させるＡＣ電磁弁を備えるものが存し、本発明に係る圧縮空気用電磁式ドレントラップの安全装置は、そのような電磁式ドレントラップに備えられる。また、前記ＡＣ電磁弁は、排出指令信号に制御されたＡＣリレー、トライアック、サイリスタ、ソリッドステートリレーなどでＡＣ電圧を印加され、開弁されるものである。
【００２０】
電流検知手段１は、ＡＣ電磁弁の電源線１ｂを監視するものであって、ＡＣ電磁弁の電源線１ｂに流れる電流量に応じて、自身の出力電圧を大きくするものである。かかる電源線１ｂの電流量は、電流量信号１ｃとして比較増幅手段２へ送出される。
【００２１】
前記電流検知手段１は、ＡＣ電磁弁の電源線１ｂと磁気的に結合し、且つ、自身の電源と電源線１ｂの電源とは絶縁されていることが好ましく、それを実現するものとしては、カレントトランスもしくはホール素子を利用したＩＣがあげられる。
【００２２】
比較増幅手段２は、電流検知手段１がＡＣ電磁弁の電源線１ｂに流れる電流量に応じて出力する電圧（電流量信号１ｃ）と、基準電圧発生手段２ｂが出力する基準電圧２ｃとを比較し、前者が後者に比し高い電圧となった場合に、両者の差分以上に増幅した上で信号を送出でき得るものであって、すなわち、ＡＣ電磁弁の電源線１ｂに基準以上の電流量が流れると、過電流検出信号２ｄを送出するものである。
【００２３】
かかる比較増幅手段２は、基準との比較と、他の制御回路とのロジックレベルに合わせた信号を正しく送出できれば事足りる。それを実現するものとしては、オペアンプによるコンパレーターＩＣに基準電圧発生手段２ｂを組み合わせる実施例が考えられるが、他にＡＤ変換器の値と基準値を設定したマグニチュードコンパレーターＩＣを組み合わせる実施例なども考えられ得る。
【００２４】
なお、基準電圧発生手段２ｂは、電源の抵抗分圧によるもの、ツェナーダイオードによるものなどが考えられるが、周知のもので事足り、その基準電圧２ｃの大きさは、ＡＣ電磁弁の電源線１ｂに通常流れる電流量に対し１．１〜２倍程度を見積もった電流量が流れた場合の電流検知手段１に現れる電圧に設定しておくことが好ましい。
【００２５】
時間遅延手段３は、ＡＣ電磁弁の排出指令信号が送出された際に、その信号により開弁が開始されたＡＣ電磁弁にラッシュカレントが流れる所定時間を遅延させた時間遅延信号３ｃを送出するものである。それを実現するものとしては、ＣＲの時定数によるモノマルチバイブレーターを一若しくは複数組み合わせる実施例や、発振器による所定数のカウントによる信号送出を行う実施例などが考えられ得る。その場合、リセット信号３ｂないしトリガー信号を排出指令信号とする必要がある。
【００２６】
判断手段４は、前記比較増幅手段２の過電流検出信号２ｄと前記時間遅延手段３の時間遅延信号３ｃとを論理積ないし否定論理積した信号を送出するものである。すなわち、ラッシュカレントが流れ終わった後に過電流を検知した場合に、異常電流検出信号４ｂを送出するものである。論理積か否定論理積かは、実施に応じて適宜決定される。
【００２７】
異常電流保持手段５は、前記異常電流検出信号４ｂを保持し、異常電流保持信号５ｃを送出するものである。それを実現するものとしては、種々のフリップフロップが挙げられ、そのリセット信号５ｂとしては、排出指令信号、過電流検出信号２ｄ、時間遅延信号３ｃなどが考えられ得るが、実施例によって適宜選択すればよい。
【００２８】
なお、前記異常電流保持手段５に接続され、該異常電流保持手段５が異常電流保持信号５ｃを送出した場合に、排出指令信号を無効化する電源切断手段６を採用し得る。電源切断手段６は、ＦＥＴもしくはトランジスタで排出指令信号を直接に無効化する実施例、イネーブルが可能なバッファで排出指令信号をバッファリングし、イネーブルのＯＮ・ＯＦＦでもＡＣ電磁弁を制御可能とする実施例などが考えられ得る。
【００２９】
またさらに、前記異常電流保持手段５に接続され、該異常電流保持手段５が異常電流保持信号５ｃを送出した場合に、警報を発報する警報発報手段７を採用し得る。警報発報告手段７は、ランプやブザー、無電圧接点出力機器、有電圧接点出力機器を接続する実施例などが考えられ得る。
【００３０】
以上の通り構成される本発明にかかる圧縮空気用電磁式ドレントラップの安全装置について、次にその動作態様を説明する。図２は、本発明にかかる圧縮空気用電磁式ドレントラップの安全装置の動作態様を示すタイムチャートである。
【００３１】
ＡＣ電磁弁は、ＡＣ電磁弁の電源線１ｂよりＡＣ電圧を印加され、流入したドレンを排出する。そこでＡＣ電磁弁の電源線１ｂに排出指令信号に基づきＡＣ電圧が印加されると、該ＡＣ電圧の１サイクル程度の間、所定のラッシュカレントが流れることとなる。ラッシュカレントの電流量は通常動作時の５倍程度、多いものだと１０倍以上流れるものも存する。
【００３２】
電流検知手段１は、ラッシュカレントでも通常動作時でも、常にＡＣ電磁弁の電源線１ｂに流れる電流量を監視し、その電流量に応じた電圧である電流量信号１ｃを比較増幅手段２へ送出する。
【００３３】
比較増幅手段２は、基準電圧発生手段２ｂによる基準電圧２ｃと前記電流検知手段１の出力する電圧（電流量信号１ｃ）とを比較し、後者の方が大きい場合に過電流検出信号２ｄを判断手段４へ送出する。
【００３４】
このとき、かかる比較増幅手段２は、ラッシュカレントが流れている場合でも、異常電流が流れている場合でも、場合に関係なく電流量のみに対し判断を行うこととなる。したがって、そのどちらにより過電流となっているのかまでは過電流検出信号２ｄだけで判断することはできない。
【００３５】
ところで、ＡＣ電磁弁がゴミやスラッジ、油塊などを噛んでしまい動作不良となると、該ＡＣ電磁弁にラッシュカレントが流れる時間を超えても通常動作時より多い電流量、すなわち異常電流が流れることになる。
そこで、時間遅延手段３によりＡＣ電磁弁の排出指令信号の開始よりラッシュカレントが流れる所定時間を遅延させた時間遅延信号３ｃが判断手段４へ送出され、該判断手段４における判断に際してラッシュカレントが流れる時間を除外するようになっている。
【００３６】
すなわち判断手段４では、比較増幅手段２から送出されてきた過電流検出信号２ｄと時間遅延手段３から送出されてきた時間遅延信号３ｃとを論理積ないし否定論理積することで、ラッシュカレントが流れ終わった後も過電流が流れている場合にのみ異常電流検出信号４ｂを送出する。これにより、過電流についてＡＣ電磁弁がゴミやスラッジ、油塊などを噛んでしまった際に発生する異常電流によるものか否かを判別することができる。
【００３７】
判断手段４から送出された異常電流検出信号４ｂは、異常電流保持手段５により保持され、電源切断手段６や警報発報手段７に異常電流保持信号５ｃを送出する。これにより、ＡＣ電磁弁の電源をＯＦＦにしてそれ以上の異常電流の発生を抑制可能となり、また、異常電流を検知したことを外部に知らしめることが可能となる。
【産業上の利用可能性】
【００３８】
本発明は、空気圧縮機が吐出する圧縮空気より発生するドレンを除去するための電磁式ドレントラップであって、装置の機能性向上に資すると共に、圧縮空気圧回路に接続される機器全般にわたって本発明を採用することができ得るものであって、本発明における「圧縮空気用電磁式ドレントラップの安全装置」の産業上の利用可能性は大であると思料する。
【符号の説明】
【００３９】
１    電流検知手段  
１ｂ  電源線
１ｃ  電流量信号
２    比較増幅手段
２ｂ  基準電圧発生手段
２ｃ  基準電圧
２ｄ  過電流検出信号
３    時間遅延手段
３ｂ  リセット信号（トリガー信号）
３ｃ  時間遅延信号
４    判断手段
４ｂ  異常電流検出信号
５    異常電流保持手段
５ｂ  リセット信号
５ｃ  異常電流保持信号
６    電源切断手段
７    警報発報手段
【図１】
2015086791.tif 000003
【図２】
2015086791.tif 000004
【手続補正書】
【提出日】平成26年4月11日(2014.4.11)
【手続補正１】
【補正対象書類名】明細書
【補正対象項目名】００２９
【補正方法】変更
【補正の内容】
【００２９】
またさらに、前記異常電流保持手段５に接続され、該異常電流保持手段５が異常電流保持信号５ｃを送出した場合に、警報を発報する警報発報手段７を採用し得る。警報発報手段７は、ランプやブザー、無電圧接点出力機器、有電圧接点出力機器を接続する実施例などが考えられ得る。
【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
空気圧縮機が吐出する圧縮空気より発生するドレンを除去するための圧縮空気用電磁式ドレントラップの安全装置であって、
ＡＣ電磁弁の電源線を監視する電流検知手段と、
前記電流検知手段の信号を所定の基準と比較した上で増幅でき得る比較増幅手段と、
ＡＣ電磁弁の排出指令信号の開始よりラッシュカレントが流れる所定時間以上を遅延させた信号を送出する一以上の時間遅延手段と、
前記比較増幅手段の信号と前記時間遅延手段の信号とを論理積もしくは否定論理積する判断手段と、
前記判断手段の真の信号を保持する異常電流保持手段と、
前記異常電流保持手段が異常電流である信号を保持した場合に前記ＡＣ電磁弁の電源をＯＦＦする電源切断手段と、
を備え、前記ＡＣ電磁弁が開弁不良をきたした時に無駄な圧縮空気を放出しないことを特徴とする圧縮空気用電磁式ドレントラップの安全装置。
【請求項２】
前記異常電流保持手段が異常電流である信号を保持した場合に、警報を発報する警報発報手段を備えたことを特徴とする請求項１に記載の圧縮空気用電磁式ドレントラップの安全装置。
【請求項３】
前記電流検知手段が、カレントトランスもしくはホール素子であることを特徴とする請求項１または請求項２に記載の圧縮空気用電磁式ドレントラップの安全装置。
【手続補正２】
【補正対象書類名】明細書
【補正対象項目名】０００７
【補正方法】変更
【補正の内容】
【０００７】
上記課題を解決するため、本発明は、第一の構成として、空気圧縮機が吐出する圧縮空気より発生するドレンを除去するための圧縮空気用電磁式ドレントラップの安全装置であって、ＡＣ電磁弁の電源線を監視する電流検知手段と、該電流検知手段の信号を所定の基準と比較した上で増幅でき得る比較増幅手段と、少なくともＡＣ電磁弁の排出指令信号の開始よりラッシュカレントが流れる所定時間以上を遅延させた信号を送出する一以上の時間遅延手段と、比較増幅手段の信号と時間遅延手段の信号とを論理積もしくは否定論理積する判断手段と、該判断手段の真の信号を保持する異常電流保持手段と、前記異常電流保持手段が異常電流である信号を保持した場合に前記ＡＣ電磁弁の電源をＯＦＦする電源切断手段と、を備え、前記ＡＣ電磁弁が開弁不良をきたした時に無駄な圧縮空気を放出しないことを特徴とした構成を採用する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、本発明は、第二の構成として、前記異常電流保持手段が異常電流である信号を保持した場合に、警報を発報する警報発報手段を備えた構成を採用し得る。
【手続補正５】
【補正対象書類名】明細書
【補正対象項目名】００１０
【補正方法】変更
【補正の内容】
【００１０】
さらにまた、本発明は、第三の構成として、前記電流検知手段が、カレントトランスもしくはホール素子である構成を採用し得る。
【手続補正６】
【補正対象書類名】明細書
【補正対象項目名】００１１
【補正方法】変更
【補正の内容】
【００１１】
本発明にかかる圧縮空気用電磁式ドレントラップの安全装置によれば、第一の構成を採用することにより、少なくともラッシュカレントが流れ終わった時点で過電流の存否を判断し、その過電流を異常電流として検知することで、該過電流がラッシュカレントではなくＡＣ電磁弁の動作不良による異常電流であることを簡便且つ容易な構成で判別可能であると共に、異常電流を検知した場合にＡＣ電磁弁の電源をＯＦＦにすることで、それ以上の異常電流の発生を抑制し、これにより該ＡＣ電磁弁の中途半端な開弁による余分な圧縮空気の消費を防ぐことが可能になり、さらには、該ＡＣ電磁弁の焼き付きを防ぐと共に装置寿命の長期化が図られる、といった優れた効果を奏する。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、本発明にかかる圧縮空気用電磁式ドレントラップの安全装置によれば、第二の構成を採用することにより、警報発報手段を備えることで、異常電流を検知したことを人や接続される機器に容易に知らしめることができる、といった優れた効果を奏するものである。
【手続補正９】
【補正対象書類名】明細書
【補正対象項目名】００１４
【補正方法】変更
【補正の内容】
【００１４】
またさらに、本発明にかかる圧縮空気用電磁式ドレントラップの安全装置によれば、第三の構成を採用することにより、電流検知手段をＡＣ電磁弁の電源線とカレントトランスもしくはホール素子との磁気的な結合でのみ結合させることによって、ＡＣ電磁弁の電源と制御部の電源とを絶縁でき、これにより回路構成が単純・低コストで実現可能である、といった優れた効果を奏するものである。
【手続補正１０】
【補正対象書類名】明細書
【補正対象項目名】００３７
【補正方法】変更
【補正の内容】
【００３７】
判断手段４から送出された異常電流検出信号４ｂは、異常電流保持手段５により保持され、電源切断手段６や警報発報手段７に異常電流保持信号５ｃを送出する。これにより、ＡＣ電磁弁の電源をＯＦＦにして、それ以上の異常電流の発生が抑制可能になると共に該ＡＣ電磁弁の中途半端な開弁による余分な圧縮空気の消費を防ぐことが可能となり、また、異常電流を検知したことを外部に知らしめることが可能となる。